(57)【要約】【課題】防油提ないし油受け皿に洩れた油を外部には流失させず、防油提外に飛散、流出させないための油タンクボックス収納体の構造を提供し、又、防油提内に残留する油を匂いや防火上の問題が発生することなく排出させる為の簡便な装置を提供する。【解決手段】主たる構成は、油タンク１の収納室２と、防油堤３とを有する箱型状のボックス収納体４において、収納室２を形成する外板は、ボルト固定による着脱自在の構造とし、防油堤3は、排出バルブ５によって防油提３内に溜まった油類を排出する構造としたことを特徴とするボックス収納体。【選択図】図１
0003147996.tif 000002
【実用新案登録請求の範囲】
【請求項１】
油タンク１の収納室２と、防油堤３とを有する箱型状のボックス収納体４において、収納室２を形成する外板は、ボルト固定による着脱自在の構造とし、防油堤3は、排出バルブ５によって防油堤３内に溜まった油類を排出する構造としたことを特徴とするボックス収納体。
【請求項２】
収納室２の外側板６は、複数箇所に固定用フック７を備え、かつ、防油堤３の底部に少なくとも1個の排出バルブ５を備えたことを特徴とする請求項１記載のボックス収納体。
【請求項３】
収納室２の外側板６の内壁側に内側開閉バルブ８と、油処理剤収納部９とを設けるとともに、収納室２の開閉扉１０の内側に消火器固定台１１を備えたことを特徴とする請求項１記載のボックス収納体。
【請求項４】
収納室２の天外板１２に複数個の吊金具１３を設け、外側板６の外壁に固定用フック７を設けたことを特徴とする請求項１記載のボックス収納体。
【請求項５】
収納室２の適当箇所に内部透視用の透視窓１４A及び明り取り窓１４Bを設けたことを特徴とする請求項１記載のボックス収納体。
【考案の詳細な説明】
【技術分野】
【０００１】
本考案は、灯油、軽油などの各種油等を貯蔵するタンクに関する、油漏れ防止構造を備えたボックス収納体であり、更には油等が周囲に飛散した場合の土壌汚染防止のための油処理剤を備えた構造体に関する。
【背景技術】
【０００２】
液漏れを防止した構造を持つ油タンクは、従来の技術として存在するが、これはタンクより油が漏れて油受け皿(以下防油提という)に溜まり外部に流失しない構造を有するものが多い。その多くは、油が漏れた後の処理として防油提内部に溜まった油を、防油提側面下部に備えつけの排出バルブによって排出処理作業を行うものである。
【０００３】
従来の技術によるこの種の構造では、排出バルブが、防油堤本体より外側に突起した形で備えてあるものが多い。この場合、製品の実際の使用上において、移動時や設置時に、または、使用中に何らかの外部的な衝撃や圧力等の外力を受けると、全体的又は、部分的に破損の危険性があり、この部分より油類などが漏れてしまう可能性があった。
【０００４】
従来品の一般的な使用方法としては、油タンク本体内より外部機器(例えば発電機、ヒーター等)にパイプ等の用具により本体と外部機器を接続し給油又は回収して使用される。この場合配管やホース等を使い接続するのが一般的である。外部使用機器の付け替え工事の際、本体内部のタンクのバルブを閉めてから外部機器の接続部をはずして行う。この場合、付け替えを手順良く行ったとしても油の多少の飛散や流出の可能性が残る。
【０００５】
また、何らかの原因により本体油タンクより漏れた油は、防油提内に受けて外部には流出されない構造ではあるが、前記の通り溜まった油等を排出バルブにより取り出して処理することになる。その際も防油提外に飛散、流出する可能性があった。さらには防油提内部に少量の油が排出されないまま残留し、臭いや防火上の問題が解決されていない状況も見られた。
【考案の開示】
【考案が解決しようとする課題】
【０００６】
本考案が解決しようとする課題は、防油提ないし油受け皿に洩れた油を外部には流失させず、防油提外に飛散、流出させないための構造を提供し、又、防油提内に残留する油による臭いや防火上の問題が発生することなく排出させる為の簡便な装置を提供しようとするものである。
【０００７】
油タンクから洩れたオイルを外部に漏らさないようにすることを課題とする従来技術としては、油受けと、油受けを備えたオイルタンクの提供を目的とするものとして、例えば、実用新案登録第3098946号（特許文献１）がある。これは、大型の槽体を用いることなく洩れたオイルを受けると言う目的を達成しようとするものである。
【０００８】
【特許文献１】実用新案登録第3098946号
【課題を解決するための手段】
【０００９】
本考案は、上記の如き観点に鑑みて課題を解決すべくなされたものである。上述の目的を達成するために請求項１に記載の考案は、油タンク１の収納室２と、防油堤３とを有する箱型状のボックス収納体４において、収納室２を形成する外板は、ボルト固定による着脱自在の構造とし、防油堤3は、排出バルブ５によって防油提３内に溜まった油類を排出するボックス収納体であることを特徴としている。
上記に鑑み本考案は、油などの液漏れを防止する構造を持つ油タンクを有する構造とし、さらに何らかの原因によって油タンクより漏れが発生し、防油提に溜まった油を処理する際の対策と、使用による油の飛散などの課題に対しても対処しうることを目的とするボックス収納体を提供するものである。
【００１０】
又、請求項２に記載の考案では、請求項１の考案に加えて、収納室２の外側板６は、複数箇所に固定用フック７を備え、かつ、防油提３の底部に少なくとも1個の排出バルブ５を備えたこと
を特徴とし、請求項３に記載の考案では、請求項１の考案に加えて、収納室２の外側板６の内壁側に内側開閉バルブ８と、油処理剤収納部９とを設けるとともに、収納室２の開閉扉１０の内側に消火器固定台１１を備えた構成を特徴としており、請求項４に記載の考案では、請求項１の考案に加えて、収納室２の天外板１２に複数個の吊金具１３を設け、外側板６の外壁に固定用フック７を設けたことを特徴とする構成としている。又、請求項５に記載の考案では、請求項１の考案に加えて、収納室２の適当箇所に内部透視用の透視窓１４Aと明り取り窓１４Bを設けてなる構成としてある。
【００１１】
請求項１に記載の本考案は、前記目的を解決するために、油タンク１の収納室２と、油タンク１からの油類の漏れを受ける防油堤と、装置全体を囲うボックス形状に形成されたボックス収納体４によって構成されている。又、防油堤は、排出バルブ５によって防油堤内に溜まった油類を排出する構造であり、一体構造により外部に漏れない構造でもある。併せてボックス収納体４の全体を囲う外板は、ボルト固定によるから全ての組み立て、部品交換や取り外しが容易にできる構造であることを特徴とする。
請求項２に記載の考案では、請求項１の考案に加えて、収納室２の外側板６は、複数箇所に固定用フック７を備え、かつ、防油堤３の底部に少なくとも1個の排出バルブ５を備えたことからなる構成とし、請求項３に記載の考案では、請求項１の考案に加えて、収納室２の外側板６の内壁側に内側開閉バルブ８と、油処理剤収納部９とを設けるとともに、収納室２の開閉扉１０の内側に消火器固定台１１を備えた構成としている。請求項４に記載の考案では、請求項１の考案に加えて、収納室２の天外板１２に複数個の吊金具１３を設け、外側板６の外壁に固定用フック７を設けたことからなる構成を加えている。
請求項５に記載の考案では、請求項１の考案に加えて、収納室２の適当箇所に内部透視用の透視窓１４と明り取り窓１４Bをを設けてなる構成としてある。
【００１２】
防油堤に備えられた排出バルブ５は、防油堤本体内部に格納設置し、排出バルブ５を外部の衝撃から保護する構成としている。この構成により排出バルブ５の設置時や移動中、及び使用時の外部からの何らかの衝撃による破損等を防止できる構造となっている。これにより、油類が油タンクより漏れた場合でも、万一バルブの破損による油類の外部への流出の場合でも、甚大な被害が発生することを防止するように構成してある。
外板両側面に固定用フック７を左右各２箇所備えてあり、移動運搬中のボックス収納体４の固定と使用設置時の耐震対策としてのロープもしくはワイヤー等による保持作業や固定作業にも対処できる構造を特徴としている。
【００１３】
本考案を用いて外部機器に油を供給する場合には、配管またはホースなどによって接続されるが、直接１本の回路で油タンクに接続する構造ではなく、外板部分内部に内側バルブを独立に装備し、外部機器の接続交換の際に内側バルブのみを閉めることにより外部への油類の流出を防止するようにも構成している。油タンクから外板内部に装備されたバルブまでの間の送油は銅などの金属製配管とし、防火上の対策としている。またこの構造により外部機器との送油経路の着脱が簡単に行うことができることも特徴としている。
【００１４】
請求項２，３，４の構造を以ってしても取り扱い上やその他の原因により、外部に油の飛散や流出が発生する可能性がある。また防油堤で油を受け排出処理を行ったとしても油臭が残る。外部に流失した場合などは、土壌汚染や、ともすれば河川にまで達し環境を著しく破壊し、その対策として往々にして莫大な費用の発生する恐れがある。  本考案において、このことを重大な課題と位置づけている。よって重大な問題になる前に初期の段階で処理できる油処理剤を本考案装置によって装備し、緊急時に素早く取り出し、油の流出や油臭を防ぐことができる構造としている。その設置についてはいわゆるどんでん返しの構造なども可能としている。
【００１５】
請求項３に記載の考案では、油処理剤収納部９と、消火器固定台１1が備えられていることから
油漏れや引火したときには、素早く油を処理し又は、初期消火をすることにより被害を最小限にとどめることができるものとしている。通常においては外板外部に消火器表示をし、本考案装置の内部に消火器が装備されている旨を告知している。収納室２の天外板１２に、複数個の吊金具１３を設け、外側板６の外壁に固定用フック７を設けたことにより地震対策もかねている
【考案の効果】
【００１６】
本考案の油タンク用ボックス収納体は、以下のような効果を有する。
防油提ないし油受け皿に洩れた油を外部には流失させず、防油提外に飛散、流出させないための構造を提供し、又、防油提内に残留する油を臭いや防火上の問題が発生することなく排出させる為の簡便な装置が得られる。収納室の外側板各片が着脱自在とされるから部品交換が容易である。収納室の内側開閉バルブにより内側からの給油や停止が容易になる。収納室の天外板に設けた吊金具と固定用フックにより装置の輸送中の固定と、設置時、使用時の地震対策が果たせる。収納室に設けた透視窓と明かり取り窓により収納室内部の油の充填状態などを監視・管理することが出来る。
【考案を実施するための最良の形態】
【００１７】
以下、図面を参照しながら本考案の装置を詳細に説明する。
図１は、本考案一実施例のボックス収納体の全体構造を示す正面図である。
図２は、その全体構造を示す側面図であり、図３は、上面図である。又、図４は、収納室内の配管状態図である。
【００１８】
本実施例では、容量５００リットル、防油堤容積は５２０リットルのタンクが採用されている。油タンク1内に収納室２と、その下部に防油堤3がボックス収納体4に配置され収容されている。ボックス収納体４において、収納室２を形成する外板は、着脱自在の構造とし、防油堤3は、排出バルブ５によって防油提３内に溜まった油類を排出するボックス収納体である。
【００１９】
図1、図２にあるように  収納室２の外側板６は、油タンク外部の複数箇所に固定用フック７を備え、輸送中の固定と設置時の耐震性維持と振動対策をかねる。かつ、防油堤３の底部内側には少なくとも1個の排出バルブ５を備えたことにより防油堤内の油の排出が円滑になされるとともに排出バルブの衝撃による破損も避けられる。図3にあるように収納室２の外側板６の内壁側に内側開閉バルブ８と、油処理剤収納部９とを設けるとともに、収納室２の開閉扉１０の内側に消火器固定台１１を備えた構成としており、油タンク１から外板内部に装備されたバルブまでの間の送油は銅などの金属製配管とし、防火上の対策としている。またこの構造により外部機器との送油経路の着脱が簡単に行うことが出来る。
【００２０】
収納室２の天外板１２に複数個の吊金具１３を設け、外側板６の外壁に固定用フック
７を設けたことからなる構成としている。更に、収納室２の適当箇所に内部透視用の
透視窓１４Aと明り取り窓１４Bとを設けてなる構成とすることにより油タンク内部の油量の高低を外部からも容易に確認し管理する。
【００２１】
図4によって本考案の装置全体の配管状況が示される。  給油管１７及び及びリターン管１８は、外側接続アダプター１５と油タンク給油口１６とを接続する。尚、各図において、同一符号で示された箇所は互いに対応する構成部位である。
【図面の簡単な説明】
【００２２】
【図１】本考案一実施例のボックス収納体の全体構造を示す正面図である。
【図２】本考案一実施例のボックス収納体の全体構造を示す側面図である。
【図３】図１に示す本考案の一実施例であるボックス収納体の上面図である。
【図４】図１のボックス収納体の配管状態図である。
【符号の説明】
【００２３】
１  油タンク
２  収納室
３   防油堤
４  ボックス収納体
５  排出バルブ
６  外側板
７  固定用フック
８  内側開閉バルブ
９  油処理剤収納部
１０  開閉扉
１１  消火器固定台
１２  天外板
１３  吊金具
１４A  透視窓
１４B  明り取り窓
１５  外側接続アダプター
１６  油タンク給油口
１７  給油管
１８  リターン管
【図１】
0003147996.tif 000003
【図２】
0003147996.tif 000004
【図３】
0003147996.tif 000005
【図４】
0003147996.tif 000006